(57)【要約】【課題】  本発明は、初期の導入設備コストを押さえ、特に既存のＴＶの空きチャンネルを利用したＴＶを用いた音声受信システムを提供することを課題とする。【解決手段】  複数台のＴＶが個別に設置された施設において、衛星放送及び有線放送を受信するチューナー等のデコーダー及び変調器を設け、受信された信号を復調し復調した信号をＴＶ帯域に変調し、Ｈ・ＥでＴＶ信号を混合して、各ＴＶへ入力し入力されたサウンドを各ＴＶを介して聴音する事である。【選択図】図１
2007135168.tif 000002
【特許請求の範囲】
【請求項１】
複数台のＴＶが個別に設置された施設において、衛星放送等を受信するチューナー等のデコーダー及び変調器を設け受信された信号を復調し復調した信号をＴＶ帯域に変調し、又はインターネット等の再生器を設け再生された信号を変調器でＴＶ帯域に変調し、Ｈ・ＥでＴＶ信号を混合して、各ＴＶへ入力し入力されたサウンドを各ＴＶを介して聴音する事を特徴するＴＶを用いた音声受信システム。
【請求項２】
前記変調器にブラックバースト信号発生器を設け、ブラックバースト信号を発生して映像部位に変調し画面に出力した状態で入力されたサウンドを各ＴＶを介して聴音する請求項１記載のＴＶを用いた音声受信システム。
【発明の詳細な説明】
【０００１】  本発明は既存のＴＶを用いた音声受信システムに関する。
【背景技術】
【０００２】  従来、１つの局が多数の音楽を同時に放送している有線放送を、複数の人に配信してＢＧＭとして流す場合は、例えば、遊技場においては、下記のような装置が設置されている。
有線放送を受信して複数の音楽のオーディオ信号を出力する受信機と、オーディオ信号を互いにキャリア周波数の異なる送信信号にそれぞれ変換する複数の送信回路と、送信信号を混合して微弱な電波として送信される信号に混合する混合回路とからなる送信装置、及受信回路と、複数の送信信号をそれぞれ受信するための周波数データとを有し、この周波数データを受信回路にセットして複数の送信信号を選択的に受信するようにした受信機とから構成されている。【０００３】  そして、有線放送の放送信号が、信号ケーブルを通じて受信機に供給され、送られてきた音楽のうち、複数の音楽を選択的及び復調し、そのオーディオ信号を送信回路に供給して放送信号と同等のＦＭ信号に変換する。そして、このＦＭ信号を混合回路に供給して混合信号とし、アンプ及び同軸ケーブルを通じて漏洩ケーブルに供給し、ＦＭ受信機により任意の音楽を聴くことができる。【０００４】  また、衛星放送の場合は下記のように構成されている。
衛星放送から送信される信号は、チューナーから出力される信号をデコーダを通してデジタルの音声信号をアナログ信号に変換し、衛星放送の信号の周波数帯を通常のＴＶシステムの空きチャンネルの周波数帯に変換した後、ＴＶ変調器で変調してＴＶシステムの伝送路に送り、伝送路に送りだされた音声信号をＴＶ映像器で受信できる構成である。
【発明の開示】
【発明が解決しようとする課題】
【０００５】  しかしながら、従来の有線放送を用いて、同時に複数の人に配信してＢＧＭとして流す場合は、同軸ケーブル、漏洩ケーブル等の室内の配線工事における初期の導入設備コストかかるという問題点があった。【０００６】  また、衛星放送を用いて複数の人に配信する場合は、個々にチューナー、デコーダ等の複数の装置を設置する必要があり、同様に初期の導入設備コストがかかるという問題点があった。【０００７】  本発明は、従来の問題点を解消することを目的とし、初期の導入設備コストを押さえ、特に既存のＴＶの空きチャンネルを利用したＴＶを用いた音声受信システムを提供することを課題とする。
【課題を解決するための手段】
【０００８】  本発明はＴＶを用いた音声受信システムで、複数台のＴＶが個別に設置された施設において、衛星放送等を受信するチューナー等のデコーダー及び変調器を設け受信された信号を復調し復調した信号をＴＶ帯域に変調し、又はインターネット等の再生器を設け再生された信号を変調器でＴＶ帯域に変調し、Ｈ・ＥでＴＶ信号を混合して、各ＴＶへ入力し入力されたサウンドを各ＴＶを介して聴音する事を特徴する。【０００９】  また、本発明は、変調器にブラックバースト信号発生器を設け、ブラックバースト信号を発生して映像部位に変調し画面に出力した状態で入力されたサウンドを各ＴＶを介して聴音することを特徴とする。
【発明の作用】
【００１０】  本発明は、例えば、病院、ホテル又はマンション等の個別に設置された複数台のＴＶを利用するシステムである。
【００１１】  先ず、本発明を利用する施設の１箇所（共聴工事）に、衛星放送及び有線放送を受信（任意の複数のＣＨ）するチューナー等のデコーダー及び変調器を設置する。このチューナー等のデコーダーで受信された信号を復調し、変調器により復調した信号をＴＶ帯域（既設１ＴＶ空きＣＨ）に変調する。
そして、Ｈ・Ｅを介してＴＶ信号を混合して、各個室のＴＶへ入力し、入力されたサウンドを各ＴＶを介して聴音する。
【００１２】  尚、音源としては、上記衛星放送及び有線放送の受信に限定するものでなく、インターネット等の再生器及び変調器を設置し、再生器により再生された信号をＴＶ帯域に変調し、Ｈ・Ｅを介してＴＶ信号を混合して、各個室のＴＶへ入力し、入力されたサウンドを各ＴＶを介して聴音する。
【００１３】  上記複数の変調器に１台のブラックバースト信号発生器を接続することで、サウンドを各ＴＶを介して聴音する際、ブラックバースト信号を発生して映像部位に変調し画面に同期出力した状態で入力されたサウンドを各ＴＶを介して聴音することができる。
【００１４】  ブラックバースト信号発生器は、上記のように変調器と別体として接続する構成に限定されるものでなく、変調器と一体に構成することも可能である。
【発明の効果】
【００１５】  本発明によれば、個々に専用のチューナー等を設置するシステムに比し、初期の導入設備コストが低減できるという利点がある。
【００１６】  特に、現状の個々のＴＶを利用するために、設置する工事が共聴工事のみであり、スムーズなシステムの導入が可能となる。
【００１７】  さらに、ブラックバースト信号を発生して映像部位に出力してサウンドを各ＴＶを介して聴音することできるので、精神的に安定した状態で聴音することができる。
【発明を実施するための最良の形態】
【００１８】  本発明のＴＶを用いた音声受信システムの一実施例について図面に沿って説明する。【００１９】  図１は、本発明のＴＶを用いた音声受信システムの一実施例を示す概略回路図である。【００２０】  複数台のＴＶ１０が個別に設置された施設として、例えば、病院を例として提示する。病院においては、病室の各ベット毎にＴＶ１０が設置され、患者が自由にＴＶを視聴することができるようになっている。
上記各ＴＶは、ＢＳ／ＣＳアンテナ１１に連接された伝送路のＴＶ端子に接続されている。【００２１】  本発明のＴＶを用いた音声受信システム１は、上記既設のＴＶを利用するために、上記病院の施設の１箇所（共聴工事）に設置される。このため、設置工事はセンター部分のみとなり、各病室へのチューナーの取り付け、ＴＶ端子からの分配、配線等の設置が不要である。【００２２】  ＴＶを用いた音声受信システム１の構成は、衛星放送及び有線放送を受信するアンテナ２に連接されたチューナー３と、受信された信号を復調し復調した信号をＴＶ帯域（既設１ＴＶ空きＣＨ）に変調する変調器４と、前記変調されたＴＶ信号を混合する混合器５と、該混合器５により混合されたＴＶ信号を既設のＴＶ信号に混合し、既設のＴＶ伝送路に送りだすＨ・Ｅ６とから構成されている。尚、チューナー３と変調器４とは、受信する任意のＣＨに応じた台数が必要である。【００２３】  また、前記複数台の変調器４には、スプリッター７を介して連接され、ＴＶモニターに必要な信号を発生させるためのブラックバースト信号発生器８が設けられている。ブラックバースト信号は、映像信号として黒色、つまり、画像を再生したときＴＶ画面に現れない黒色信号を同期引込用にバースト波として生成するものであるが、ＴＶ画面への表現としてドット、バックカラー、クロスライン等種々選択可能である。【００２４】  本発明のＴＶを用いた音声受信システム１を使用する例として、１００床で１００台のＴＶ１０が個別に設置され、１０ＣＨを任意に選択する場合の病院施設を提示する。
各ＴＶ１０は、ＢＳ／ＣＳアンテナ１１に連接された伝送路１２のＴＶ端子に接続されている。【００２５】  本発明のＴＶを用いた音声受信システム１は、共聴１事として上記伝送路１２に設ける。
即ち、伝送路１２に設けられたＴＶ信号を混合するＨ・Ｅ６にブースター（増幅器）９、混合器５を介して１０台の変調器４と１０台のチューナー３とを連接する。
上記１０台の変調器４は、ブラックバースト信号発生器８に連接された３台のスプリッター７（出力の信号分配器）を介して４台、４台、２台と連接し、また、上記１０台のチューナー３はそれぞれ衛星放送及び有線放送を受信するアンテナ２に連接する。【００２６】  このように、設置１事はセンター部分のみ共聴工事として設置できるために、各病室へのチューナーの取り付け、ＴＶ端子からの分配、配線等の設置が不要であり、初期の導入費用を格段に低減することができることとなる。【００２７】  次に、ベットを使用する患者は、指定されたＴＶＣＨに設定することで、受信した任意の１０ＣＨより、希望するＣＨを選曲して２４時間いつでも音声を聴くことができる。しかも、ＴＶ画面は、ＴＶ画面に現れない黒色信号を同期引込用にバースト波として生成しているために、患者はＴＶ画面が気にならず音声のみを聴くことができる。【００２８】  尚、本発明のＴＶを用いた音声受信システム１は、上記ＴＶ受信チューナーがデジタルのみの受信タイプでは、アナログ信号の変調信号は受信できず、また、デジタル／アナログ信号両方のＴＶ受信チューナーであれば、２０１２年のＴＶ信号の地上波デジタルにも対応することができる。【００２９】  又、本発明のＴＶを用いた音声受信システム１において、聴音する際、ブラックバースト信号を発生して映像部位に変調し画面に出力するためのブラックバースト信号発生器８を設けたが、本発明においてブラックバースト信号発生器８を設けることは必須の条件ではない。【００３０】  又、上記実施例では、ＴＶを用いた音声受信システム１を使用する例として、１００台のＴＶ１０が個別に設置され、１０ＣＨを任意に選択する場合を提示したが、本発明のＴＶを用いた音声受信システム１の使用において、ＴＶ１０の台数、ＣＨ数は上記数に限定されるものでなく、あくまで複数台、複数ＣＨであればその数は任意に設定することが可能である。【００３１】  更に、上記実施例では、本発明のＴＶを用いた音声受信システム１を病院の施設に使用したが、個別にＴＶ１０が設置された施設としてホテル、マンションにおいても本発明のＴＶを用いた音声受信システム１を使用することができる。【００３２】  又、上記実施例では、ブラックバースト信号を発生するブラックバースト信号発生器８を変調器４に連接したが、変調器４にブラックバースト信号発生器８を内蔵し、変調器４と一体化して構成することで、システム全体の簡略化を図ることも可能である。【００３３】  更に、上記実施例では、音源手段を衛星放送及び有線放送を受信するアンテナ２に連接されたチューナー３と、受信された信号を復調し復調した信号をＴＶ帯域に変調する変調器４と、変調されたＴＶ信号を混合する混合器５と、混合器５により混合されたＴＶ信号を既設のＴＶ信号に混合し、既設のＴＶ伝送路に送りだすＨ・Ｅ６とから構成したが、本発明における音源手段はこれに限定されるものでなく、例えば、インターネット、ＣＤ又はＭＤ等の再生器を設け、再生された信号を変調器でＴＶ帯域に変調し、Ｈ・ＥでＴＶ信号を混合して、各ＴＶへ入力すべく構成することも可能である。
【図面の簡単な説明】
【００３４】
【図１】本発明のＴＶを用いた音声受信システムの一実施例を示す概略回路図である。
【符号の説明】
【００３５】  １−ＴＶを用いた音声受信システム１
【図１】
2007135168.tif 000003